【手続補正書】
【提出日】平成18年12月19日(2006.12.19)
【手続補正１】
【補正対象書類名】明細書
【補正対象項目名】特許請求の範囲
【補正方法】変更
【補正の内容】
【特許請求の範囲】
【請求項１】透明もしくは半透明の部材から構成される成型用モールドを用いたプラスチック製品の注形成形方法において、プラスチック原料を供給する第１の工程と、プラスチック原料の液位を検知する第２の工程と、検知された液位をもとに供給するプラスチック原料の流量の切り替え制御をする第３の工程と、キャビティ内がプラスチック原料で満杯になるのを検知する第４の工程と、満杯を検知した後プラスチック原料の供給を停止する第５の工程からなるプラスチック原料の充填方法であって、
前記第２の工程は、前記成形用モールドを構成する部材に対しては透過率の高い波長域で、かつプラスチック原料に対しては透過率の低い波長域を含む光線を成型用モールドに照射し、照射側と相対する側で前記波長域の光線の透過率変化を検出することによって、プラスチック原料の液位を検知することを特徴とするプラスチック原料の充填方法。
【請求項２】透明もしくは半透明の部材から構成される成型用モールドを用いたプラスチック製品の注形成形方法において、プラスチック原料を供給する第１の工程と、プラスチック原料の液位を検知する第２の工程と、検知された液位をもとに供給するプラスチック原料の流量の切り替え制御をする第３の工程と、キャビティ内がプラスチック原料で満杯になるのを検知する第４の工程と、満杯を検知した後プラスチック原料の供給を停止する第５の工程からなるプラスチック原料の充填方法であって、
前記第２の工程は、前記成型用モールドに光線を照射した際に、プラスチック原料とキャビティ内の空気との境界部において生じる光量変化を検出してプラスチック原料の液位を検知することを特徴とするプラスチック原料の充填方法。
【請求項３】請求項１または２に記載のプラスチック原料の充填方法において、前記第３の工程は、前記第２の工程でプラスチック原料の液位が検知されるのと同時に、もしくは液位を検知してから所定の時間経過後に、供給するプラスチック原料の流量を切り替え制御することを特徴とするプラスチック原料の充填方法。
【請求項４】請求項１〜３のいずれかに記載のプラスチック原料の充填方法において、前記第１の工程は、ローラポンプ、ギヤポンプ、マグネットポンプのいずれかによってプラスチック原料を供給し、前記第３の工程は、前記ポンプの駆動用モータの回転数を制御することで、供給するプラスチック原料の流量を切り替え制御することを特徴とするプラスチック原料の充填方法。
【請求項５】透明もしくは半透明の部材から構成される成型用モールドを用いたプラスチック製品の注形成形装置において、プラスチック原料を供給する原料供給手段と、プラスチック原料の液位を検知する液位検知手段と、検知された液位をもとに供給するプラスチック原料の流量を切り替え制御をする流量制御手段と、キャビティ内がプラスチック原料で満杯になるのを検知する満杯検知手段と、満杯検知手段からの信号をうけプラスチック原料の供給を停止する弁開閉手段を備えるプラスチック原料の充填装置であって、
前記液位検知手段は、前記成型用モールドを構成する部材に対しては透過率の高い波長域で、かつプラスチック原料に対しては透過率の低い波長域を含む光線を前記成型用モールドに照射する投光手段Ａと、前記投光手段Ａと相対する側に配置され前記波長域の光線の受光量変化を検出する受光手段Ａとを備えることを特徴とするプラスチック原料の充填装置。
【請求項６】透明もしくは半透明の部材から構成される成型用モールドを用いたプラスチック製品の注形成形装置において、プラスチック原料を供給する原料供給手段と、プラスチック原料の液位を検知する液位検知手段と、検知された液位をもとに供給するプラスチック原料の流量を切り替え制御をする流量制御手段と、キャビティ内がプラスチック原料で満杯になるのを検知する満杯検知手段と、満杯検知手段からの信号をうけプラスチック原料の供給を停止する弁開閉手段を備えるプラスチック原料の充填装置であって、
前記液位検知手段は、前記成型用モールドに対して光線を照射する投光手段Ｂとプラスチック原料とキャビティ内の空気との境界部における光量変化を検出する受光手段Ｂを備えることを特徴とするプラスチック原料の充填装置。
【請求項７】請求項５または６に記載のプラスチック原料の充填装置において、
前記流量制御手段は、前記液位検知手段からの検出信号をうけて流量を切り替え制御するように構成されており、プラスチック原料の液位検知からの所定の時間経過を検出するタイマーを備えていることを特徴とするプラスチック原料の充填装置。
【請求項８】請求項５〜７のいずれかに記載のプラスチック原料の充填装置において、
前記原料供給手段として、ローラポンプ、ギヤポンプ、マグネットポンプのいずれかを備え、前記流量制御手段として、プラスチック原料の流量を前記ポンプ駆動用モータの回転数によって制御する回転数制御手段を備えることを特徴とするプラスチック原料の充填装置。
【手続補正２】
【補正対象書類名】明細書
【補正対象項目名】００１３
【補正方法】変更
【補正の内容】
【００１３】
よって、請求項１記載のプラスチックレンズの充填方法は、透明もしくは半透明の部材から構成される成型用モールドを用いたプラスチック製品の注形成形方法において、プラスチック原料を供給する第１の工程と、プラスチック原料の液位を検知する第２の工程と、検知された液位をもとに供給するプラスチック原料の流量の切り替え制御をする第３の工程と、キャビティ内がプラスチック原料で満杯になるのを検知する第４の工程と、満杯を検知した後プラスチック原料の供給を停止する第５の工程からなるプラスチック原料の充填方法であって、前記第２の工程は、前記成形用モールドを構成する部材に対しては透過率の高い波長域で、かつプラスチック原料に対しては透過率の低い波長域を含む光線を成型用モールドに照射し、照射側と相対する側で前記波長域の光線の透過率変化を検出することによって、プラスチック原料の液位を検知することを特徴とする。
【手続補正３】
【補正対象書類名】明細書
【補正対象項目名】００１４
【補正方法】変更
【補正の内容】
【００１４】
また、請求項２記載のプラスチックレンズの充填方法は、透明もしくは半透明の部材から構成される成型用モールドを用いたプラスチック製品の注形成形方法において、プラスチック原料を供給する第１の工程と、プラスチック原料の液位を検知する第２の工程と、検知された液位をもとに供給するプラスチック原料の流量の切り替え制御をする第３の工程と、キャビティ内がプラスチック原料で満杯になるのを検知する第４の工程と、満杯を検知した後プラスチック原料の供給を停止する第５の工程からなるプラスチック原料の充填方法であって、前記第２の工程は、前記成型用モールドに光線を照射した際に、プラスチック原料とキャビティ内の空気との境界部において生じる光量変化を検出してプラスチック原料の液位を検知することを特徴とする。
【手続補正４】
【補正対象書類名】明細書
【補正対象項目名】００１５
【補正方法】変更
【補正の内容】
【００１５】
また、請求項３記載の発明は、請求項１または２に記載のプラスチック原料の充填方法において、前記第３の工程は、前記第２の工程でプラスチック原料の液位が検知されるのと同時に、もしくは液位を検知してから所定の時間経過後に、供給するプラスチック原料の流量を切り替え制御することを特徴とする。
【手続補正５】
【補正対象書類名】明細書
【補正対象項目名】００１６
【補正方法】変更
【補正の内容】
【００１６】
また、請求項４記載の発明は、請求項１〜３のいずれかに記載のプラスチック原料の充填方法において、前記第１の工程は、ローラポンプ、ギヤポンプ、マグネットポンプのいずれかによってプラスチック原料を供給し、前記第３の工程は、前記ポンプの駆動用モータの回転数を制御することで、供給するプラスチック原料の流量を切り替え制御することを特徴とする
【手続補正６】
【補正対象書類名】明細書
【補正対象項目名】００１７
【補正方法】変更
【補正の内容】
【００１７】
また、請求項５記載のプラスチック原料の充填装置は、透明もしくは半透明の部材から構成される成型用モールドを用いたプラスチック製品の注形成形装置において、プラスチック原料を供給する原料供給手段と、プラスチック原料の液位を検知する液位検知手段と、検知された液位をもとに供給するプラスチック原料の流量を切り替え制御をする流量制御手段と、キャビティ内がプラスチック原料で満杯になるのを検知する満杯検知手段と、満杯検知手段からの信号をうけプラスチック原料の供給を停止する弁開閉手段を備えるプラスチック原料の充填装置であって、前記液位検知手段は、前記成型用モールドを構成する部材に対しては透過率の高い波長域で、かつプラスチック原料に対しては透過率の低い波長域を含む光線を前記成型用モールドに照射する投光手段Ａと、前記投光手段Ａと相対する側に配置され前記波長域の光線の受光量変化を検出する受光手段Ａとを備えることを特徴とする。
【手続補正７】
【補正対象書類名】明細書
【補正対象項目名】００１８
【補正方法】変更
【補正の内容】
【００１８】
また、請求項６記載のプラスチック原料の充填装置は、透明もしくは半透明の部材から構成される成型用モールドを用いたプラスチック製品の注形成形装置において、プラスチック原料を供給する原料供給手段と、プラスチック原料の液位を検知する液位検知手段と、検知された液位をもとに供給するプラスチック原料の流量を切り替え制御をする流量制御手段と、キャビティ内がプラスチック原料で満杯になるのを検知する満杯検知手段と、満杯検知手段からの信号をうけプラスチック原料の供給を停止する弁開閉手段を備えるプラスチック原料の充填装置であって、前記液位検知手段は、前記成型用モールドに対して光線を照射する投光手段Ｂとプラスチック原料とキャビティ内の空気との境界部における光量変化を検出する受光手段Ｂを備えることを特徴とする。
【手続補正８】
【補正対象書類名】明細書
【補正対象項目名】００１９
【補正方法】変更
【補正の内容】
【００１９】
また、請求項７記載の発明は、請求項５または６に記載のプラスチック原料の充填装置において、前記流量制御手段は、前記液位検知手段からの検出信号をうけて流量を切り替え制御するように構成されており、プラスチック原料の液位検知からの所定の時間経過を検出するタイマーを備えていることを特徴とする。
【手続補正９】
【補正対象書類名】明細書
【補正対象項目名】００２０
【補正方法】変更
【補正の内容】
【００２０】
また、請求項８記載の発明は、請求項５〜７のいずれかに記載のプラスチック原料の充填装置において、
前記原料供給手段として、ローラポンプ、ギヤポンプ、マグネットポンプのいずれかを備え、前記流量制御手段として、プラスチック原料の流量を前記ポンプ駆動用モータの回転数によって制御する回転数制御手段を備えることを特徴とする。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】